(57)【要約】【課題】クラッタ及び虚像を抑制し、目標を検出する。【解決手段】各可変減衰器６の振幅量を制御する１つ以上の振幅分布設定装置１７１、及び各移相器５の位相量を制御する１つ以上の位相分布設定装置１７２を有する複数の振幅位相設定装置１７と、低サイドローブを実現する所望の励振分布から振幅分布及び位相分布を求め、振幅位相設定装置１７に設定する演算装置１８と、各可変減衰器６及び各移相器５を制御する振幅位相設定装置１７を順に切り換える切換器１９とを備え、振幅位相設定装置１７は、各可変減衰器６及び各移相器５の制御を行う場合に、送信信号又は受信信号毎に、制御を行う振幅分布設定装置１７１及び位相分布設定装置１７２を変え、検出器１６は、切換器１９により切り換えられた振幅位相設定装置１７の振幅分布設定装置１７１及び位相分布設定装置１７２の数、及び送信信号又は受信信号の繰り返し周波数に応じて、目標の検出範囲を決定する。【選択図】図１
2014174102.tif 000002
【特許請求の範囲】
【請求項１】
送信信号を送信する送信手段と、
上記送信手段により送信された送信信号を分配する信号分配手段と、
上記信号分配手段により分配された送信信号を空間に放射し、目標により反射された信号を受信信号として受信する複数の素子アンテナと、
上記各素子アンテナにより受信された受信信号を合成する信号合成手段と、
上記信号分配手段から上記各素子アンテナに出力される送信信号及び／又は当該各素子アンテナから上記信号合成手段に出力される受信信号の振幅を調整する複数の振幅調整手段と、
上記信号分配手段から上記各素子アンテナに出力される送信信号及び／又は当該各素子アンテナから上記信号合成手段に出力される受信信号の位相を調整する複数の位相調整手段と、
上記信号合成手段により合成された受信信号を周波数領域に変換する周波数変換手段と、
上記周波数変換手段による周波数変換結果に基づいて、上記目標の周波数を検出する検出手段と、
所定の振幅分布に従い上記各振幅調整手段の振幅量を制御する１つ以上の振幅分布設定手段、及び所定の位相分布に従い上記各位相調整手段の位相量を制御する１つ以上の位相分布設定手段を有する複数の振幅位相設定手段と、
低サイドローブを実現する所望の励振分布から上記振幅分布及び上記位相分布を求め、上記振幅分布設定手段に対して当該振幅分布を設定し、上記位相分布設定手段に対して当該位相分布を設定する分布設定手段と、
上記各振幅調整手段及び上記各位相調整手段を制御する上記振幅位相設定手段を順に切り換える切換手段とを備え、
上記振幅位相設定手段は、上記各振幅調整手段及び上記各位相調整手段の制御を行う場合に、上記送信信号又は上記受信信号毎に、制御を行う上記振幅分布設定手段及び上記位相分布設定手段を変え、
上記検出手段は、上記切換手段により切り換えられた上記振幅位相設定手段の振幅分布設定手段及び位相分布設定手段の数、及び上記送信信号又は上記受信信号の繰り返し周波数に応じて、上記目標の検出範囲を決定する
ことを特徴とするレーダ装置。
【請求項２】
送信信号を送信する送信手段と、
上記送信手段により送信された送信信号を分配する信号分配手段と、
上記信号分配手段により分配された送信信号を空間に放射し、目標により反射された信号を受信信号として受信する複数の素子アンテナと、
上記各素子アンテナにより受信された受信信号を合成する信号合成手段と、
上記信号分配手段から上記各素子アンテナに出力される送信信号及び／又は当該各素子アンテナから上記信号合成手段に出力される受信信号の振幅を調整する複数の振幅調整手段と、
上記信号分配手段から上記各素子アンテナに出力される送信信号及び／又は当該各素子アンテナから上記信号合成手段に出力される受信信号の位相を調整する複数の位相調整手段と、
上記信号合成手段により合成された受信信号を周波数領域に変換する周波数変換手段と、
上記周波数変換手段による周波数変換結果に基づいて、上記目標の周波数を検出する検出手段と、
所定の振幅分布に従い上記各振幅調整手段の振幅量を制御する１つ以上の振幅分布設定手段、及び所定の位相分布に従い上記各位相調整手段の位相量を制御する１つ以上の位相分布設定手段を有する複数の振幅位相設定手段と、
低サイドローブを実現する所望の励振分布から上記振幅分布及び上記位相分布を求め、上記振幅分布設定手段に対して当該振幅分布を設定し、上記位相分布設定手段に対して当該位相分布を設定する分布設定手段と、
上記各振幅調整手段及び上記各位相調整手段を制御する上記振幅位相設定手段を切り換える切換手段と、
上記検出手段により検出された上記目標の周波数、及び上記送信信号又は上記受信信号の繰り返し周波数に基づいて、上記切換手段を制御するモード制御手段とを備え、
上記振幅位相設定手段は、上記各振幅調整手段及び上記各位相調整手段の制御を行う場合に、上記送信信号又は上記受信信号毎に、制御を行う上記振幅分布設定手段及び上記位相分布設定手段を変え、
上記検出手段は、上記切換手段により切り換えられた上記振幅位相設定手段の振幅分布設定手段及び位相分布設定手段の数、及び上記繰り返し周波数に応じて、上記目標の検出範囲を決定する
ことを特徴とするレーダ装置。
【請求項３】
上記振幅位相設定手段は、
１つの上記振幅分布設定手段及び１つの上記位相分布設定手段を有する第１振幅位相設定手段と、
２以上（Ｌ）の上記振幅分布設定手段及び２以上（Ｌ）の上記位相分布設定手段を有する第２振幅位相設定手段とを備え、
上記モード制御手段は、上記検出手段により検出された上記目標の周波数が、当該目標の周波数をｆｄとし、上記繰り返し周波数をＰＲＦとした場合に、
2014174102.tif 000009
で示す範囲内の場合には、上記切換手段に上記第１振幅位相設定手段に切り替えさせ、
2014174102.tif 000010
で示す範囲内の場合には、上記切換手段に上記第２振幅位相設定手段に切り替えさせる
ことを特徴とする請求項２記載のレーダ装置。
【請求項４】
上記検出手段は、上記切換手段により切り換えられた上記振幅位相設定手段が、１つの上記振幅分布設定手段及び１つの上記位相分布設定手段を有する第１振幅位相設定手段である場合には、上記目標の周波数をｆｄとし、上記繰り返し周波数をＰＲＦとした場合に、当該目標の検出範囲を
2014174102.tif 000011
で示す範囲とし、２以上（Ｌ）の上記振幅分布設定手段及び２以上（Ｌ）の上記位相分布設定手段を有する第２振幅位相設定手段である場合には、上記目標の検出範囲を
2014174102.tif 000012
で示す範囲とする
ことを特徴とする請求項１から請求項３のうちのいずれか１項記載のレーダ装置。
【請求項５】
上記振幅位相設定手段は、
１つの上記振幅分布設定手段及び１つの上記位相分布設定手段を有する第１振幅位相設定手段と、
２つの上記振幅分布設定手段及び２つの上記位相分布設定手段を有する第２振幅位相設定手段とを備えた
ことを特徴とする請求項１又は請求項２記載のレーダ装置。
【請求項６】
上記検出手段は、上記切換手段により第１振幅位相設定手段が選択された場合には、上記目標の周波数をｆｄとし、上記繰り返し周波数をＰＲＦとした場合に、当該目標の検出範囲を
2014174102.tif 000013
で示す範囲とし、第２振幅位相設定手段が選択された場合には、上記目標の検出範囲を
2014174102.tif 000014
で示す範囲とする
ことを特徴とする請求項５記載のレーダ装置。
【請求項７】
上記第２振幅位相設定手段は、２つの上記位相分布設定手段の位相量が互いに共役である
ことを特徴とする請求項５又は請求項６記載のレーダ装置。
【請求項８】
上記第１振幅位相設定手段の振幅分布設定手段及び位相分布設定手段は、上記目標の方向に対してアンテナ利得が最大となる振幅分布及び位相分布に設定された
ことを特徴とする請求項５から請求項７のうちのいずれか１項記載のレーダ装置。
【請求項９】
上記周波数変換手段は、高速フーリエ変換により受信信号を周波数領域に変換する
ことを特徴とする請求項１から請求項８のうちのいずれか１項記載のレーダ装置。
【請求項１０】
送信手段により、送信信号を送信する送信ステップと、
信号分配手段により、上記送信手段により送信された送信信号を分配する信号分配ステップと、
複数の素子アンテナにより、上記信号分配手段により分配された送信信号を空間に放射し、目標により反射された信号を受信信号として受信する送受信ステップと、
信号合成手段により、上記各素子アンテナにより受信された受信信号を合成する信号合成ステップと、
複数の振幅調整手段により、上記信号分配手段から上記各素子アンテナに出力される送信信号及び／又は当該各素子アンテナから上記信号合成手段に出力される受信信号の振幅を調整する振幅調整ステップと、
複数の位相調整手段により、上記信号分配手段から上記各素子アンテナに出力される送信信号及び／又は当該各素子アンテナから上記信号合成手段に出力される受信信号の位相を調整する位相調整ステップと、
周波数変換手段により、上記信号合成手段により合成された受信信号を周波数領域に変換する周波数変換ステップと、
検出手段により、上記周波数変換手段による周波数変換結果に基づいて、上記目標の周波数を検出する検出ステップと、
振幅位相設定手段により、１つ以上の振幅分布設定手段を用いて所定の振幅分布に従い上記各振幅調整手段の振幅量を制御し、１つ以上の位相分布設定手段を用いて所定の位相分布に従い上記各位相調整手段の位相量を制御する振幅位相設定ステップと、
分布設定手段により、低サイドローブを実現する所望の励振分布から上記振幅分布及び上記位相分布を求め、上記振幅分布設定手段に対して当該振幅分布を設定し、上記位相分布設定手段に対して当該位相分布を設定する分布設定ステップと、
切換手段により、上記各振幅調整手段及び上記各位相調整手段を制御する上記振幅位相設定手段を順に切り換える切換ステップとを有し、
上記振幅位相設定ステップにおいて、上記送信信号又は上記受信信号毎に、制御を行う上記振幅分布設定手段及び上記位相分布設定手段を変え、
上記検出ステップにおいて、上記切換手段により切り換えられた上記振幅位相設定手段の振幅分布設定手段及び位相分布設定手段の数、及び上記送信信号又は上記受信信号の繰り返し周波数に応じて、上記目標の検出範囲を決定する
ことを特徴とするレーダ装置の目標検出方法。
【請求項１１】
送信手段により、送信信号を送信する送信ステップと、
信号分配手段により、上記送信手段により送信された送信信号を分配する信号分配ステップと、
複数の素子アンテナにより、上記信号分配手段により分配された送信信号を空間に放射し、目標により反射された信号を受信信号として受信する送受信ステップと、
信号合成手段により、上記各素子アンテナにより受信された受信信号を合成する信号合成ステップと、
複数の振幅調整手段により、上記信号分配手段から上記各素子アンテナに出力される送信信号及び／又は当該各素子アンテナから上記信号合成手段に出力される受信信号の振幅を調整する振幅調整ステップと、
複数の位相調整手段により、上記信号分配手段から上記各素子アンテナに出力される送信信号及び／又は当該各素子アンテナから上記信号合成手段に出力される受信信号の位相を調整する位相調整ステップと、
周波数変換手段により、上記信号合成手段により合成された受信信号を周波数領域に変換する周波数変換ステップと、
検出手段により、上記周波数変換手段による周波数変換結果に基づいて、上記目標の周波数を検出する検出ステップと、
振幅位相設定手段により、１つ以上の振幅分布設定手段を用いて所定の振幅分布に従い上記各振幅調整手段の振幅量を制御し、１つ以上の位相分布設定手段を用いて所定の位相分布に従い上記各位相調整手段の位相量を制御する振幅位相設定ステップと、
分布設定手段により、低サイドローブを実現する所望の励振分布から上記振幅分布及び上記位相分布を求め、上記振幅分布設定手段に対して当該振幅分布を設定し、上記位相分布設定手段に対して当該位相分布を設定する分布設定ステップと、
切換手段により、上記各振幅調整手段及び上記各位相調整手段を制御する上記振幅位相設定手段を切り換える切換ステップと、
モード制御手段により、上記検出手段により検出された上記目標の周波数、及び上記送信信号又は上記受信信号の繰り返し周波数に基づいて、上記切換手段を制御するモード制御ステップとを有し、
上記振幅位相設定ステップにおいて、上記送信信号又は上記受信信号毎に、制御を行う上記振幅分布設定手段及び上記位相分布設定手段を変え、
上記検出ステップにおいて、上記切換手段により切り換えられた上記振幅位相設定手段の振幅分布設定手段及び位相分布設定手段の数、及び上記繰り返し周波数に応じて、上記目標の検出範囲を決定する
ことを特徴とするレーダ装置の目標検出方法。
【発明の詳細な説明】
【技術分野】
【０００１】
この発明は、目標の周波数と送信信号又は受信信号の繰り返し周波数に応じて、複数の素子アンテナの励振振幅及び位相を変化させて、目標の検出を行うレーダ装置及び目標検出方法に関するものである。
【背景技術】
【０００２】
レーダ装置では、アンテナのサイドローブ領域から入射されるクラッタの影響を除去するために、低サイドローブ化が求められる。アンテナで低サイドローブ化を実現するには振幅制御が必要となるが、振幅の分解能や振幅比が大きくなるなど実現は容易でない。そこで、振幅制御が不要で低サイドローブ化を実現できる時間変調アレーアンテナがある。時間変調アレーアンテナは、開口分布を時分割で変化させ、時間積分により低サイドローブ化を実現する。時間変調アレーアンテナは、例えば、以下の非特許文献１や非特許文献２に開示されている。
【０００３】
図２７は非特許文献２に開示されている時間変調アレーアンテナを適用した従来のレーダ装置の構成を示す図である。以下、図２７を用いて従来のレーダ装置の動作を説明する。
まず、演算装置１１８は、低サイドローブ化を実現する所望の励振分布を設定する。そして、演算装置１１８は、所望の励振分布から２つの振幅分布と位相分布を求め、第１振幅位相設定装置１１７−１及び第２振幅位相設定装置１１７−２にそれぞれ設定する。ここで、２つの振幅分布は等しく、２つの位相分布は共役の関係にある。
【０００４】
次に、信号生成器１０１は送信する信号（送信信号）を生成する。ここでは、例えば矩形波状の送信信号を一定区間で送信するパルス信号とする。
次に、送信機１０２は、信号生成器１０１により生成された送信信号を送受切換器（ＳＷ）１０３に出力する。この際、送受切換器１０３は、出力先を電力分配／合成器１０４に切り換え、送信機１０２からの送信信号を電力分配／合成器１０４に出力する。
【０００５】
次に、電力分配／合成器１０４は送信信号（電力）を分配し、位相調整手段１０５−１〜１０５−Ｎ及び振幅調整手段１０６−１〜１０６−Ｎは位相量及び振幅量を与える。ここでは等振幅、等位相となる値とする。その後、この送信信号は、スイッチ（ＳＷ）１０７−１〜１０７−Ｎを介して増幅器１０８−１〜１０８−Ｎに出力される。
次に、増幅器１０８−１〜１０８−Ｎは、送信信号を増幅し、送受切換器（ＳＷ）１０９−１〜１０９−Ｎを介して素子アンテナ１１０−１〜１１０−Ｎに出力する。
そして、素子アンテナ１１０−１〜１１０−Ｎは、この送信信号を空間に放射する。
【０００６】
次に、素子アンテナ１１０−１〜１１０−Ｎは、目標により反射された信号を受信信号として受信し、送受切換器１０９−１〜１０９−Ｎを介して増幅器１１１−１〜１１１−Ｎに出力する。
次に、増幅器１１１−１〜１１１−Ｎは、この受信信号を増幅し、スイッチ１０７−１〜１０７−Ｎを介して振幅調整手段１０６−１〜１０６−Ｎに出力する。
【０００７】
次に、切換器１１９は、振幅調整手段第１０６−１〜１０６−Ｎ及び位相調整手段１０５−１〜１０５−Ｎを制御する装置として、第１振幅位相設定装置１１７−１を選択する。そして、第１振幅位相設定装置１１７−１は、振幅調整手段１０６−１〜１０６−Ｎ及び位相調整手段１０５−１〜１０５−Ｎの振幅量及び位相量を制御する。
次に、振幅調整手段１０６−１〜１０６−Ｎ及び位相調整手段１０５−１〜１０５−Ｎは、増幅器１１１−１〜１１１−Ｎから出力された受信信号の振幅及び位相を変化させる。この信号は、電力分配／合成器１０４に出力される。
【０００８】
次に、電力分配／合成器１０４は、この受信信号を合成し、送受切換器１０３を介して受信機１１２に出力する。
次に、受信機１１２はこの受信信号をＡＤＣ（Ａｎａｌｏｇ  ｔｏ  Ｄｉｇｉｔａｌ  Ｃｏｎｖｅｒｔｅｒ）１１３に出力し、ＡＤＣ１１３は受信信号をアナログ信号からディジタル信号に変換して、記憶装置１１４に記憶させる。
【０００９】
次に、上記と同様の手順で、素子アンテナ１１０−１〜１１０−Ｎから送信信号を送信して、目標により反射された信号を受信信号として受信し、増幅器１１１−１〜１１１−Ｎで増幅して振幅調整手段１０６−１〜１０６−Ｎに出力する。
次に、切換器１１９は、振幅調整手段第１０６−１〜１０６−Ｎ及び位相調整手段１０５−１〜１０５−Ｎを制御する装置として、第２振幅位相設定装置１１７−２を選択する。そして、第２振幅位相設定装置１１７−２は、振幅調整手段１０６−１〜１０６−Ｎ及び位相調整手段１０５−１〜１０５−Ｎの振幅量及び位相量を制御する。
【００１０】
次に、振幅調整手段１０６−１〜１０６−Ｎ及び位相調整手段１０５−１〜１０５−Ｎは、増幅器１１１−１〜１１１−Ｎから出力された受信信号の振幅及び位相を変化させる。この信号は、電力分配／合成器１０４に出力される。
次に、電力分配／合成器１０４は、この受信信号を合成し、送受切換器１０３を介して受信機１１２に出力する。次に、受信機１１２はこの受信信号をＡＤＣ１１３に出力し、ＡＤＣ１１３は受信信号をアナログ信号からディジタル信号に変換して、記憶装置１１４に記憶させる。
【００１１】
その後、上記の送受信動作を繰り返す。そして、必要な信号数が得られると、周波数変換装置１１５は、記憶装置１１４に記憶された受信信号を周波数領域に変換する。
そして、検出器１１６は、この周波数変換結果に基づいて目標を検出する。
【００１２】
図２８に検出器１１６で得られるデータの一例を示す。図２８はパルス繰り返し周波数（送信信号又は受信信号の繰り返し周波数）を２０ｋＨｚ、パルス数を２００、クラッタの周波数を０．８ｋＨｚ、目標の周波数を４ｋＨｚとした場合の結果である。ここで、目標は０ｄｅｇ．方向から、クラッタは１８ｄｅｇ．方向から来ることを想定した。図２８の横軸は周波数を表し、縦軸は電力を表している。
図２８から、クラッタ電力より目標の電力が大きく、クラッタを抑圧できていることがわかる。しかしながら、開口分布を時分割で切り換えることで、信号の繰り返し周期が長くなってしまったため、虚像が発生している。そして、目標からの電力より虚像の電力が大きくなっているので両者を区別することができず、目標の検出ができなくなっている。
【先行技術文献】
【非特許文献】
【００１３】
【非特許文献１】Ｗ．Ｋｕｍｍｅｒ他，Ｕｌｔｒａ−Ｌｏｗ  Ｓｉｄｅｌｏｂｅｓ  ｆｒｏｍ  Ｔｉｍｅ−Ｍｏｄｕｌａｔｅｄ  Ａｒｒａｙｓ，  ＩＥＥＥ  Ｔｒａｎｓａｃｔｉｏｎ  ｏｎ  Ａｎｔｅｎｎａｓ  ａｎｄ  Ｐｒｏｐａｇａｔｉｏｎ，１９６３，Ｖｏｌ．１１，Ｉｓｓ．６，ｐｐ．６３３−６３９．
【非特許文献２】中西他、時間変調アレーアンテナにおける不要高調波抑圧のための励振分布切換アルゴリズム、信学ソ大、Ｂ−１−１８２、Ｓｅｐｔ．２０１２
【発明の概要】
【発明が解決しようとする課題】
【００１４】
従来のレーダ装置は以上のように構成されており、開口分布を時分割で切り換えることでアンテナの低サイドローブ化を実現しクラッタを抑圧できる。しかしながら、開口分布を時分割で切り換えることで、信号の繰り返し周期が長くなってしまうため虚像が発生し、目標を検出できなくなるという課題があった。
【００１５】
この発明は、上記のような課題を解決するためになされたもので、クラッタ及び虚像を抑制し、目標を検出できるレーダ装置及び目標検出方法を提供することを目的としている。
【課題を解決するための手段】
【００１６】
この発明に係るレーダ装置は、送信信号を送信する送信手段と、送信手段により送信された送信信号を分配する信号分配手段と、信号分配手段により分配された送信信号を空間に放射し、目標により反射された信号を受信信号として受信する複数の素子アンテナと、各素子アンテナにより受信された受信信号を合成する信号合成手段と、信号分配手段から各素子アンテナに出力される送信信号及び／又は当該各素子アンテナから信号合成手段に出力される受信信号の振幅を調整する複数の振幅調整手段と、信号分配手段から各素子アンテナに出力される送信信号及び／又は当該各素子アンテナから信号合成手段に出力される受信信号の位相を調整する複数の位相調整手段と、信号合成手段により合成された受信信号を周波数領域に変換する周波数変換手段と、周波数変換手段による周波数変換結果に基づいて、目標の周波数を検出する検出手段と、所定の振幅分布に従い各振幅調整手段の振幅量を制御する１つ以上の振幅分布設定手段、及び所定の位相分布に従い各位相調整手段の位相量を制御する１つ以上の位相分布設定手段を有する複数の振幅位相設定手段と、低サイドローブを実現する所望の励振分布から振幅分布及び位相分布を求め、振幅分布設定手段に対して当該振幅分布を設定し、位相分布設定手段に対して当該位相分布を設定する分布設定手段と、各振幅調整手段及び各位相調整手段を制御する振幅位相設定手段を順に切り換える切換手段とを備え、振幅位相設定手段は、各振幅調整手段及び各位相調整手段の制御を行う場合に、送信信号又は受信信号毎に、制御を行う振幅分布設定手段及び位相分布設定手段を変え、検出手段は、切換手段により切り換えられた振幅位相設定手段の振幅分布設定手段及び位相分布設定手段の数、及び送信信号又は受信信号の繰り返し周波数に応じて、目標の検出範囲を決定するものである。
【００１７】
また、この発明に係るレーダ装置は、送信信号を送信する送信手段と、送信手段により送信された送信信号を分配する信号分配手段と、信号分配手段により分配された送信信号を空間に放射し、目標により反射された信号を受信信号として受信する複数の素子アンテナと、各素子アンテナにより受信された受信信号を合成する信号合成手段と、信号分配手段から各素子アンテナに出力される送信信号及び／又は当該各素子アンテナから信号合成手段に出力される受信信号の振幅を調整する複数の振幅調整手段と、信号分配手段から各素子アンテナに出力される送信信号及び／又は当該各素子アンテナから信号合成手段に出力される受信信号の位相を調整する複数の位相調整手段と、信号合成手段により合成された受信信号を周波数領域に変換する周波数変換手段と、周波数変換手段による周波数変換結果に基づいて、目標の周波数を検出する検出手段と、所定の振幅分布に従い各振幅調整手段の振幅量を制御する１つ以上の振幅分布設定手段、及び所定の位相分布に従い各位相調整手段の位相量を制御する１つ以上の位相分布設定手段を有する複数の振幅位相設定手段と、低サイドローブを実現する所望の励振分布から振幅分布及び位相分布を求め、振幅分布設定手段に対して当該振幅分布を設定し、位相分布設定手段に対して当該位相分布を設定する分布設定手段と、各振幅調整手段及び各位相調整手段を制御する振幅位相設定手段を切り換える切換手段と、検出手段により検出された目標の周波数、及び送信信号又は受信信号の繰り返し周波数に基づいて、切換手段を制御するモード制御手段とを備え、振幅位相設定手段は、各振幅調整手段及び各位相調整手段の制御を行う場合に、送信信号又は受信信号毎に、制御を行う振幅分布設定手段及び位相分布設定手段を変え、検出手段は、切換手段により切り換えられた振幅位相設定手段の振幅分布設定手段及び位相分布設定手段の数、及び繰り返し周波数に応じて、目標の検出範囲を決定するものである。
【発明の効果】
【００１８】
この発明によれば、上記のように構成したので、クラッタ及び虚像を抑制し、目標を検出できる。
【図面の簡単な説明】
【００１９】
【図１】この発明の実施の形態１に係るレーダ装置の構成を示す図である。
【図２】この発明の実施の形態１における第ｍ振幅位相設定装置（ｍ＝１，２，・・・，Ｍ）の構成を示す図である。
【図３】この発明の実施の形態１に係るレーダ装置の処理内容を示すフローチャートである。
【図４】この発明の実施の形態１における第１振幅位相設定装置の構成を示す図である。
【図５】この発明の実施の形態１における第２振幅位相設定装置の構成を示す図である。
【図６】この発明の実施の形態１における第１振幅位相設定装置の所望分布を示す図であり、（ａ）振幅分布であり、（ｂ）位相分布である。
【図７】この発明の実施の形態１における第１振幅位相設定装置の振幅設定装置に設定される振幅分布を示す図である。
【図８】この発明の実施の形態１における第１振幅位相設定装置の位相設定装置に設定される位相分布を示す図である。
【図９】図７の振幅分布と図８の位相分布によるアンテナの放射パターンを示す図である。
【図１０】この発明の実施の形態１における第２振幅位相設定装置の所望分布を示す図であり、（ａ）振幅分布であり、（ｂ）位相分布である。
【図１１】この発明の実施の形態１における第２振幅位相設定装置の振幅設定装置に設定される振幅分布を示す図である。
【図１２】この発明の実施の形態１における第２振幅位相設定装置の位相設定装置に設定される位相分布を示す図である。
【図１３】図１１の振幅分布と図１２の位相分布によるアンテナの放射パターンを示す図である。
【図１４】この発明の実施の形態１における第２振幅位相設定装置の振幅設定装置に設定される振幅分布を示す図である。
【図１５】この発明の実施の形態１における第２振幅位相設定装置の位相設定装置に設定される位相分布を示す図である。
【図１６】図１４の振幅分布と図１５の位相分布によるアンテナの放射パターンを示す図である。
【図１７】この発明の実施の形態１における第１振幅位相設定装置で設定された振幅位相で受信した場合の目標からの受信信号を示す図である。
【図１８】この発明の実施の形態１における第２振幅位相設定装置で設定された振幅位相で受信した場合の目標からの受信信号を示す図である。
【図１９】この発明の実施の形態１における検出器による検出結果（第１振幅位相設定装置による結果）を示す図である。
【図２０】この発明の実施の形態１における検出器による検出結果（第２振幅位相設定装置による結果）を示す図である。
【図２１】この発明の実施の形態１における検出器による検出結果（第１振幅位相設定装置による結果）を示す図である。
【図２２】この発明の実施の形態１における検出器による検出結果（第２振幅位相設定装置による結果）を示す図である。
【図２３】この発明の実施の形態２に係るレーダ装置の構成を示す図である。
【図２４】この発明の実施の形態２に係るレーダ装置の処理内容を示すフローチャートである。
【図２５】この発明の実施の形態２における検出器による検出結果（第１振幅位相設定装置による結果）を示す図である。
【図２６】この発明の実施の形態２における検出器による検出結果（第２振幅位相設定装置による結果）を示す図である。
【図２７】従来の時間変調アレーアンテナを適用した従来のレーダ装置の構成を示す図である。
【図２８】図２７に示す検出器による検出結果を示す図である。
【発明を実施するための形態】
【００２０】
以下、この発明の実施の形態について図面を参照しながら詳細に説明する。
実施の形態１．
図１はこの発明の実施の形態１に係るレーダ装置の構成を示す図である。
レーダ装置は、図１に示すように、信号生成器１、送信機２、送受切換器（ＳＷ）３、電力分配／合成器４、Ｎ個の移相器５−１〜５−Ｎ、Ｎ個の可変減衰器６−１〜６−Ｎ、Ｎ個のスイッチ（ＳＷ）７−１〜７−Ｎ、Ｎ個の増幅器８−１〜８−Ｎ、Ｎ個の送受切換器（ＳＷ）９−１〜９−Ｎ、Ｎ個の素子アンテナ１０−１〜１０−Ｎ、Ｎ個の低雑音増幅器１１−１〜１１−Ｎ、受信機１２、ＡＤＣ１３、記憶装置１４、周波数変換装置１５、検出器１６、Ｍ個の振幅位相設定装置１７−１〜１７−Ｍ、演算装置１８及び切換器１９から構成されている。
【００２１】
なお以下では、特に区別する必要が無い場合には、移相器５−１〜５−Ｎ、可変減衰器６−１〜６−Ｎ、スイッチ７−１〜７−Ｎ、増幅器８−１〜８−Ｎ、送受切換器９−１〜９−Ｎ、素子アンテナ１０−１〜１０−Ｎ、低雑音増幅器１１−１〜１１−Ｎ及び振幅位相設定装置１７−１〜１７−Ｍを、移相器５、可変減衰器６、スイッチ７、増幅器８、送受切換器９、素子アンテナ１０、低雑音増幅器１１及び振幅位相設定装置１７と称す。
【００２２】
信号生成器１は、送信する信号（送信信号）を生成する処理を実施するものである。ここでは、例えば矩形波状の送信信号を一定区間で送信するパルス信号とする。
送信機２は、信号生成器１により生成された送信信号を送信する処理を実施するものである。
なお、信号生成器１及び送信機２は、本発明の送信手段を構成する。
【００２３】
送受切換器３は、送信機２と受信機１２とを切り換える処理を実施するものである。ここで、送受切換器３は、送信機２から送信された送信信号を電力分配／合成器４に出力し、電力分配／合成器４から出力された受信信号を受信機１２に出力する。
【００２４】
電力分配／合成器（信号分配手段、信号合成手段）４は、送受切換器３を介して送信機９から送信された送信信号を分配して各移相器５に出力する処理、及び各移相器５から出力された受信信号を合成して送受切換器３に出力する処理を実施するものである。
【００２５】
移相器（位相調整手段）５は、切換器１９により切り換えられた振幅位相設定装置１７の制御の下で、電力分配／合成器４により分配された送信信号の位相を調整する処理及び／又は可変減衰器６により振幅が調整された受信信号の位相を調整する処理を実施するものである。なお、実施の形態１では、移相器５は受信信号の位相を調整する。
【００２６】
可変減衰器（振幅調整手段）６は、切換器１９により切り換えられた振幅位相設定装置１７の制御の下で、移相器５から出力された送信信号の振幅を調整する処理及び／又は低雑音増幅器１１から出力された受信信号の振幅を調整する処理を実施するものである。なお、実施の形態１では、可変減衰器６は受信信号の振幅を調整する。
【００２７】
スイッチ７は、レーダ装置が送信信号を送信する場合は可変減衰器６と増幅器８との間の経路を接続し、受信信号を受信する場合は可変減衰器６と低雑音増幅器１１との間の経路を接続するものである。
増幅器８は、スイッチ７を介して可変減衰器６から出力された送信信号の電力を増幅する処理を実施するものである。
送受切換器９は、増幅器８から出力された送信信号を素子アンテナ１０に出力し、素子アンテナ１０から出力された受信信号を低雑音増幅器１１に出力する処理を実施するものである。
【００２８】
素子アンテナ１０は、アンテナ開口を形成するものであり、送受切換器９を介して増幅器８から出力された送信信号を空間に放射し、目標により反射された信号を受信信号として受信するものである。
低雑音増幅器１１は、送受切換器９を介して素子アンテナ１０から出力された受信信号を増幅する処理を実施するものである。
【００２９】
受信機１２は、送受切換器３を介して電力分配／合成器４から出力された受信信号を受信し、ＡＤＣ１３に出力する処理を実施するものである。
ＡＤＣ１３は、受信機１２から出力された受信信号をアナログ信号からディジタル信号に変換する処理を実施するものである。
記憶装置１４は、ＡＤＣ１３から出力された受信信号を記憶するものである。そして、必要数分の受信信号を取得した場合に、当該受信信号を周波数変換装置１５に出力する。
【００３０】
周波数変換装置（周波数変換手段）１５は、記憶装置１４から出力された受信信号を周波数領域に変換するものである。
検出器（検出手段）１６は、周波数変換装置１５による周波数変換結果に基づいて、目標の周波数を検出することで、目標を検出する処理を実施するものである。なお、検出器１６は、切換器１９により切り換えられた振幅位相設定装置１７の振幅分布設定装置１７１及び位相分布設定装置１７２の数、及びパルス繰り返し周波数（送信信号又は受信信号の繰り返し周波数）に応じて、目標の検出範囲を決定する。
【００３１】
振幅位相設定装置（振幅位相設定手段）１７は、各移相器５及び各可変減衰器６を制御する処理を実施するものである。ここで、第ｍ振幅位相設定装置１７−ｍ（ｍ＝１，２，・・・，Ｍ）は、図２に示すように、Ｌ個の振幅分布設定装置（振幅分布設定手段）１７１−１〜１７１−Ｌ及びＬ個の位相分布設定装置（位相分布設定手段）１７２−１〜１７２−Ｌから構成されている。なお以下において、特に区別する必要が無い場合には、振幅分布設定装置１７１−１〜１７１−Ｌ及び位相分布設定装置１７２−１〜１７２−Ｌを、振幅分布設定装置１７１及び位相分布設定装置１７２と称す。
【００３２】
振幅分布設定装置１７１は、所定の振幅分布に従い各可変減衰器６の振幅量を制御する処理を実施するものである。
位相分布設定装置１７２は、所定の位相分布に従い各移相器５の位相量を制御する処理を実施するものである。
なお、振幅位相設定装置１７は、各可変減衰器６及び各移相器５の制御を行う場合に、送信信号又は受信信号毎に、制御を行う振幅分布設定装置１７１及び位相分布設定装置１７２を変える。
【００３３】
演算装置（分布設定手段）１８は、低サイドローブを実現する所望の励振分布を設定し、当該分布から振幅分布及び位相分布を求め、振幅位相設定装置１７の振幅分布設定装置１７１及び位相分布設定装置１７２にそれぞれ設定する処理を実施するものである。
切換器（切換手段）１９は、各移相器５及び各可変減衰器６を制御する振幅位相設定装置１７を順に切り換える処理を実施するものである。
【００３４】
次に、上記のように構成されたレーダ装置の動作について、図３を参照しながら説明する。なお、この実施の形態１では、Ｎ＝１６として、アンテナ構成が１６素子の等間隔リニアアレーアンテナである場合を例に説明する。
【００３５】
レーダ装置の動作では、図３に示すように、まず、演算装置１８は、低サイドローブを実現する所望の励振分布から、振幅位相設定装置１７に設定する振幅分布及び位相分布を求める（ステップＳＴ３０１）。ここで、Ｌ個の振幅分布設定装置１７１−１〜１７１−Ｌ及びＬ個の位相分布設定装置１７２−１〜１７２−Ｌで構成される第ｍ振幅位相設定装置１７−ｍ（ｍ＝１，２，・・・，Ｍ）に対して、所望の励振分布Ａｎを設定すると、その励振分布Ａｎから、Ｌ個分の振幅分布ａｎ,l（ｌ＝１，２，・・・，Ｌ）及び位相分布φｎ,lを算出できる。振幅分布及び位相分布は以下の式（１）から求める。
2014174102.tif 000003
【００３６】
振幅位相設定装置１７の数は限定しないが、実施の形態１ではＭ＝２として説明する。
そして、第１振幅位相設定装置１７−１は、図４に示すように、１つの振幅分布設定装置１７１−１及び１つの位相分布設定装置１７２−１で構成されている。また、第２振幅位相設定装置１７−２は、図５に示すように、２つの振幅分布設定装置１７１−１，１７１−２及び２つの位相分布設定装置１７２−１，１７２−２で構成されている。
【００３７】
この第１振幅位相設定装置１７−１の所望分布を図６とすると、第１振幅位相設定装置１７−１の振幅分布設定装置１７１−１に設定される振幅分布は図７となり、位相分布設定装置１７２−１に設定される位相分布は図８となる。そして、図７の振幅分布と図８の位相分布によるアンテナの放射パターンは図９のようになる。図９の放射パターンでは、正面方向０ｄｅｇ．で規格化している。この図７と図８の分布により、正面方向（目標の方向）０ｄｅｇ．に対してアンテナ利得が最大となる。
【００３８】
一方、第２振幅位相設定装置１７−２の所望分布を図１０とした場合、式（１）を満足するために以下の条件を与える。
・第２振幅位相設定装置１７−２の各振幅分布設定装置１７１−１，１７１−２に設定される振幅分布は等しい
・第２振幅位相設定装置１７−２の各位相分布設定装置１７２−１，１７２−２に設定される位相分布は共役の関係
【００３９】
この条件を考慮すると式（１）は、以下の式（２）で書き換えられる。
2014174102.tif 000004
【００４０】
これより、所望分布を図１０とすれば、第２振幅位相設定装置１７−２の振幅分布設定装置１７１−１に設定される振幅分布は図１１となり、位相分布設定装置１７２−１に設定される位相分布は図１２となる。また、振幅分布設定装置１７１−２に設定される振幅分布は図１４となり、位相分布設定装置１７２−２に設定される位相分布は図１５になる。そして、図１１の振幅分布と図１２の位相分布によるアンテナの放射パターンは図１３のようになり、図１４の振幅分布と図１５の位相分布によるアンテナの放射パターンは図１６となる。
【００４１】
次に、演算装置１８は、各振幅位相設定装置１７−１，１７−２に対して、上記ステップＳＴ３０１で求めた振幅分布及び位相分布を設定する（ステップＳＴ３０２）。なお、ステップＳＴ３０１，３０２は、本発明の分布設定ステップに相当する。
次に、レーダ装置は、変数ｍ（＝１）を設定する（ステップＳＴ３０３）。
【００４２】
次に、レーダ装置は、送信信号を生成して空間に放射する（ステップＳＴ３０４、送信ステップ、信号分配ステップ、送受信ステップ）。すなわち、まず、信号生成器１は送信信号を生成して、送信機２及び送受切換器３を介して電力分配／合成器４に出力する。そして、電力分配／合成器４は、送信信号を分配して、スイッチ７を介して増幅器８に出力する。そして、増幅器８は、送信信号を増幅して、送受切換器９を介して素子アンテナ１０に出力する。その後、素子アンテナ１０は、送信信号を空間に放射する。ここで送信信号は、ある一定区間で繰り返し送信される。
【００４３】
次に、切換器１９は、各移相器５及び各可変減衰器６を制御する振幅位相設定装置１７として、第ｍ振幅位相設定装置１７−ｍを選択して切り換える（ステップＳＴ３０５、切換ステップ）。
次に、第ｍ振幅位相設定装置１７−ｍの振幅分布設定装置１７１は各可変減衰器６の振幅量を制御し、位相分布設定装置１７２は各移相器５の位相量を制御する（ステップＳＴ３０６，３０７、振幅位相設定ステップ）。
【００４４】
次に、素子アンテナ１０は、目標からの反射波を受信信号として受信する（ステップＳＴ３０８、送受信ステップ）。この受信信号は、送受切換器９を介して低雑音増幅器１１に出力される。そして、低雑音増幅器１１は、受信信号を増幅して、切換器７を介して可変増幅器６に出力する。その後、可変減衰器６及び移相器５により受信信号の振幅及び位相が調整される（振幅調整ステップ、位相調整ステップ）。
【００４５】
ここで、振幅位相設定装置１７が複数の振幅分布設定装置１７１及び位相分布設定装置１７２で構成される場合には、繰り返し受信される受信信号毎に振幅分布設定装置１７１及び位相分布設定装置１７２を切り換えて可変減衰器６及び移相器５を制御し、振幅量及び位相量を変化させる。
【００４６】
例えば、切換器１９により第１振幅位相設定装置１７−１に切り換えられた場合には、第１振幅位相設定装置１７−１は１つの振幅分布設定装置１７１−１及び１つの位相分布設定装置１７２−１で構成されるため、全ての受信信号を同じ振幅分布と位相分布で受信する。一方、切換器１９により第２振幅位相設定装置１７−２に切り換えられた場合には、第２振幅位相設定装置１７−２は２つの振幅分布設定装置１７１−１，１７１−２及び２つの位相分布設定装置１７２−１，１７２−２で構成されるため、受信信号毎に振幅分布及び位相分布を交互に切り換えて受信する。
【００４７】
図１７に第１振幅位相設定装置１７−１で設定された振幅位相を用いて受信した場合の目標からの受信信号（パルス信号）を示し、図１８に第２振幅位相設定装置１７−２で設定された振幅位相を用いて受信した場合の目標からの受信信号（パルス信号）を示す。
図１８に示すように、第２振幅位相設定装置１７−２で設定された振幅位相を用いて受信を行った場合には、目標からの受信信号は、交互に振幅位相が変化する。
【００４８】
次に、レーダ装置は、受信信号を周波数変換する（ステップＳＴ３０９、信号合成ステップ、周波数変換ステップ）。すなわち、まず、電力分配／合成器４は、各可変減衰器６及び各移相器５により振幅及び位相が調整された受信信号を合成して、送受切換器３及び受信機１２を介してＡＤＣ１３に出力する。そして、ＡＤＣ１３は、この受信信号をアナログ信号からディジタル信号に変換して、記憶装置１４に出力し記憶させる。
その後、繰り返し送信した信号を全て受信して記憶装置１４に記憶させた後、周波数変換装置１５は、記憶装置１４に記憶された受信信号を周波数領域に変換する。なお、実施の形態１では、周波数変換装置１５は、高速フーリエ変換により受信信号を周波数領域に変換する。
【００４９】
次に、レーダ装置は、変数ｍに１を加算する（ステップＳＴ３１０）。
次に、レーダ装置は、変数ｍがＭ以上であるか判定する（ステップＳＴ３１１）。
このステップＳＴ３１１において、ｍがＭ以下である場合には、シーケンスはステップＳＴ３０４に戻り、次の第ｍ振幅位相設定装置１７−ｍを用いて、ステップＳＴ３０４〜ＳＴ３１０の処理を繰り返し実施する。
【００５０】
一方、ステップＳＴ３１１において、ｍがＭより大きい場合（すなわち、切換器１９が全ての振幅位相設定装置１７を選択し終えた場合）には、検出器１６は、周波数変換装置１５による周波数変換結果に基づいて、目標の周波数を検出することで目標を検出する（ステップＳＴ３１２、検出ステップ）。この際、検出器１６は、振幅位相設定装置１７の振幅分布設定装置１７１及び位相分布設定装置１７２の数、及びパルス繰り返し周波数（送信信号又は受信信号の繰り返し周波数）に基づいて、目標の検出範囲を設定し、目標を検出する。
【００５１】
例えば、振幅分布設定装置１７１及び位相分布設定装置１７２の数がそれぞれ１の場合には、式（３）で示す範囲内で目標を検出する。
2014174102.tif 000005
ここで、ｆｄは目標の周波数であり、ＰＲＦはパルス繰り返し周波数である。
【００５２】
また、振幅分布設定装置１７１及び位相分布設定装置１７２の数が２以上（Ｌ個）の場合には、式（４）で示す範囲内で目標を検出する。
2014174102.tif 000006
【００５３】
図１９，２０にパルス繰り返し周波数を２０ｋＨｚ、パルス数を２００、クラッタの周波数を０．８ｋＨｚ、目標の周波数を４ｋＨｚとした場合の結果を示す。図１９は第１振幅位相設定装置１７−１を用いた場合の結果であり、図２０は第２振幅位相設定装置１７−２を用いた場合の結果である。ここで、目標は０ｄｅｇ．方向から、クラッタは１８ｄｅｇ．方向から来ることを想定した。また、目標により反射された信号の電力とクラッタからの電力差を−３０ｄＢとした。
【００５４】
ここで、図１９では、第１振幅位相設定装置１７−１を用いたので、目標を検出する検出範囲は式（５）に示す範囲内となる。
2014174102.tif 000007
【００５５】
一方、図２０では、第２振幅位相設定装置１７−２を用いたので、目標を検出する検出範囲は式（６）に示す範囲内となる。
2014174102.tif 000008
【００５６】
この場合、図１９では、検出範囲に目標がいないことがわかる。一方、図２０では、検出範囲内にクラッタと目標があり、電力の大きさから周波数４ｋＨｚが目標であることがわかる。よって、図２０により目標の検出が可能となる。
【００５７】
次に、図２１，２２に、図１９，２０に対して目標の周波数を４ｋＨｚから８ｋＨｚに変えた場合の結果を示す。図２１は第１振幅位相設定装置１７−１を用いた場合の結果であり、図２２は第２振幅位相設定装置１７−２を用いた場合の結果である。ここで、目標は０ｄｅｇ．方向から、クラッタは１８ｄｅｇ．方向から来ることを想定した。
この図２１，２２では、検出範囲内で最も大きいレベルとなっているのが８ｋＨｚであるため、目標の周波数が８ｋＨｚであることがわかる。これより目標の検出が可能となる。
【００５８】
以上で明らかなように、振幅位相設定装置１７の数をＭ＝２とし、第１振幅位相設定装置１７−１を用いて得られた結果と第２振幅位相設定装置１７−２を用いて得られた結果から目標の検出が可能となる。
【００５９】
なお、実施の形態１では受信信号の振幅及び位相を変化させた場合について示した。しかしながら、これに限るものではなく、送信信号の振幅及び位相を変化させてもよいし、送信信号及び受信信号を共に変化させてもよい。
また、実施の形態１では、周波数変換装置１５は、高速フーリエ変換による処理を実施するものとしたが、周波数領域に変換する処理であればこの限りでない。
【００６０】
また、実施の形態１では、振幅位相設定装置１７の数をＭ＝２として説明したが、Ｍが２以上であっても、式（１）を満足する振幅分布及び位相分布を選択することで適用可能である。また、Ｍ＝２の場合に振幅分布を等しくした場合について説明したが、式（１）を満足すればこの限りでない。また、Ｍ＝２の場合に位相分布を共役とした場合について説明した                                  が、式（１）を満足すればこの限りでない。その他の構成であっても同様の効果が得られるものであればよく、この限りでない。
【００６１】
以上のように、この実施の形態１によれば、所定の振幅分布に従い各可変減衰器６の振幅量を制御する１つ以上の振幅分布設定装置１７１、及び所定の位相分布に従い各移相器５の位相量を制御する１つ以上の位相分布設定装置１７２を有する複数の振幅位相設定装置１７と、低サイドローブを実現する所望の励振分布から振幅分布及び位相分布を求め、振幅分布設定装置１７１に対して振幅分布を設定し、位相分布設定装置１７２に対して位相分布を設定する演算装置１８と、各可変減衰器６及び各移相器５を制御する振幅位相設定装置１７を順に切り換える切換器１９とを備え、振幅位相設定装置１７は、各可変減衰器６及び上記各移相器５の制御を行う場合に、送信信号又は受信信号毎に、制御を行う振幅分布設定装置１７１及び位相分布設定装置１７２を変え、検出器１６は、切換器１９により切り換えられた振幅位相設定装置１７の振幅分布設定装置１７１及び位相分布設定装置１７２の数、及び送信信号又は受信信号の繰り返し周波数に応じて、目標の検出範囲を決定するように構成したので、クラッタ及び虚像を抑制し、目標を検出できる。
【００６２】
なお上記の移相器５及び可変減衰器６では、受信信号の位相・振幅を調整するものとし、送信信号の位相・振幅調整については言及していないが、一例として従来技術と同様に送信信号を等位相・等振幅となるように調整してもよい。
【００６３】
実施の形態２．
図２３はこの発明の実施の形態２に係るレーダ装置の構成を示す図である。図２３に示す実施の形態２に係るレーダ装置は、図１に示す実施の形態１に係るレーダ装置の切換器１９を切換器１９ｂに変更し、モード制御器２０を追加したものである。その他の構成は同様であり、同一の符号を付してその説明を省略する。
【００６４】
モード制御器（モード制御手段）２０は、検出器１６により検出された目標の周波数、及びパルス繰り返し周波数（送信信号又は受信信号の繰り返し周波数）に基づいて、切換器１９ｂを制御する処理を実施するものである。
切換器１９ｂは、モード制御器２０による制御に基づいて、各移相器５及び各可変減衰器６を制御する振幅位相設定装置１７を切り換える処理を実施するものである。
【００６５】
次に、上記のように構成されたレーダ装置の動作について、図２４を参照しながら説明する。
レーダ装置の動作では、図２４に示すように、まず、演算装置１８は、低サイドローブを実現する所望の励振分布から、振幅位相設定装置１７に設定する振幅分布及び位相分布を求める（ステップＳＴ２４０１）。なお、振幅位相設定装置１７の数は限定しないが、実施の形態２ではＭ＝２とし、各振幅位相設定装置１７−１，１７−２がそれぞれ図４，５に示す構成であるとする。
次に、演算装置１８は、各振幅位相設定装置１７−１，１７−２に対して、上記ステップＳＴ２４０１で求めた振幅分布と位相分布を設定する（ステップＳＴ２４０２）。なお、ステップＳＴ２４０１，２４０２は、本発明の分布設定ステップに相当する。
【００６６】
次に、切換器１９は、各移相器５及び各可変減衰器６を制御する振幅位相設定装置１７として、第１振幅位相設定装置１７−１を選択して切り換える（ステップＳＴ２４０３、切換ステップ）。
【００６７】
次に、レーダ装置は、送信信号を生成して空間に放射する（ステップＳＴ２４０４、送信ステップ、信号分配ステップ、送受信ステップ）。すなわち、まず、信号生成器１は送信信号を生成して、送信機２及び送受切換器３を介して電力分配／合成器４に出力する。そして、電力分配／合成器４は、送信信号を分配して、スイッチ７を介して増幅器８に出力する。そして、増幅器８は、送信信号を増幅して、送受切換器９を介して素子アンテナ１０に出力する。その後、素子アンテナ１０は、送信信号を空間に放射する。ここで送信信号は、ある一定区間で繰り返し送信される。
【００６８】
次に、第１振幅位相設定装置１７−１の振幅分布設定装置１７１は可変減衰器６の振幅量を制御し、位相分布設定装置１７２は移相器５の位相量を制御する（ステップＳＴ２４０５，２４０６、振幅位相設定ステップ）。
【００６９】
次に、素子アンテナ１０は、目標からの反射波を受信信号として受信する（ステップＳＴ２４０７、送受信ステップ）。この受信信号は、送受切換器９を介して低雑音増幅器１１に出力される。そして、低雑音増幅器１１は、受信信号を増幅して、切換器７を介して可変増幅器６に出力する。その後、可変減衰器６及び移相器５により受信信号の振幅及び位相が調整される（振幅調整ステップ、位相調整ステップ）。
【００７０】
次に、レーダ装置は、目標を検出する（ステップＳＴ２４０８、信号合成ステップ、周波数変換ステップ、検出ステップ）。すなわち、まず、電力分配／合成器４は、各可変減衰器６及び各移相器５により振幅及び位相が調整された受信信号を合成して、送受切換器３及び受信機１２を介してＡＤＣ１３に出力する。そして、ＡＤＣ１３は、この受信信号をアナログ信号からディジタル信号に変換して、記憶装置１４に出力し記憶させる。
その後、繰り返し送信した信号を全て受信して記憶装置１４に記憶させた後、周波数変換装置１５は、記憶装置１４に記憶された受信信号を周波数領域に変換する。そして、検出器１６は、この周波数変換結果に基づいて、目標の周波数を検出することで目標を検出する。
【００７１】
図２５にパルス繰り返し周波数を２０ｋＨｚ、パルス数を２００、クラッタの周波数を０．８ｋＨｚ、目標の周波数を８ｋＨｚとした場合の結果を示す。ここで、目標は０ｄｅｇ．方向から、クラッタは１８ｄｅｇ．方向から来ることを想定した。
この図２５では、第１振幅位相設定装置１７−１を用いたので、検出範囲は式（５）に示す範囲内（＋５ｋＨｚ以上、−５ｋＨｚ以下）であり、目標の周波数が８ｋＨｚであることがわかる。これより目標の検出が可能となる。
【００７２】
次に、モード制御器２０は、検出器１６により検出された目標の周波数を判定する（ステップＳＴ２４０９）。
このステップＳＴ２４０９において、モード制御器２０は、検出器１６により検出された目標の周波数が式（３）で示す範囲内である場合には、切換器１９に第１振幅位相設定装置１７−１を選択させて切り換えさせる（ステップＳＴ２４０３）。その後、ステップＳＴ２４０４〜ＳＴ２４０９まで処理を同様に実行する。
【００７３】
一方、ステップＳＴ２４０９において、モード制御器２０は、検出器１６により検出された目標の周波数がＬ＝２とした式（４）の範囲内である場合には、切換器１９に第２振幅位相設定装置１７−２を選択させて切り換えさせる（ステップＳＴ２４１０）。その後、ステップＳＴ２４０４〜ＳＴ２４０９まで処理を同様に実行する。
一方、ステップＳＴ２４０９において、目標の周波数が検出できない場合には、シーケンスは終了する。
なお、上記ステップＳＴ２４０９，２４０３，２４１０は、本発明のモード制御ステップに相当する。
【００７４】
図２６に、第２振幅位相設定装置１７−２を用い、また、図２５に対して目標の周波数を８ｋＨｚから４ｋＨｚに変えた場合の結果を示す。
この図２６では、第２振幅位相設定装置１７−２を用いたので、検出範囲は式（６）に示す範囲内（±５ｋＨｚ以内）であり、目標の周波数が４ｋＨｚであることがわかる。これより目標の検出が可能となる。
【００７５】
このように、実施の形態２に係るレーダ装置では、目標が近付けば目標の周波数は大きくなるので第１振幅位相設定装置１７−１を用い、目標が離れれば目標の周波数は小さくなるので第２振幅位相設定装置１７−２を用いる。これにより、目標の検出と追尾が可能となる。
【００７６】
以上のように、この実施の形態２によれば、モード制御器２０により、検出器１６により検出された目標の周波数、及び上記送信信号又は上記受信信号の繰り返し周波数に基づいて、切換器に切り換えさせる振幅位相設定装置１７を変えるように構成したので、クラッタ及び虚像を抑制し、目標の検出と追尾が可能となる。
【００７７】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００７８】
１  信号生成器、２  送信機、３  送受切換器、４  電力分配／合成器、５，５−１〜５−Ｎ  移相器、６，６−１〜６−Ｎ  可変減衰器、７，７−１〜７−Ｎ  スイッチ、８，８−１〜８−Ｎ  増幅器、９，９−１〜９−Ｎ  送受切換器、１０，１０−１〜１０−Ｎ  素子アンテナ、１１，１１−１〜１１−Ｎ  低雑音増幅器、１２  受信機、１３  ＡＤＣ、１４  記憶装置、１５  周波数変換装置、１６  検出器、１７，１７−１〜１７−Ｍ  振幅位相設定装置、１８  演算装置、１９，１９ｂ  切換器、２０  モード制御器、１７１，１７１−１〜１７１−Ｌ  振幅分布設定装置、１７２，１７２−１〜１７２−Ｌ  位相分布設定装置。
【図１】
2014174102.tif 000015
【図２】
2014174102.tif 000016
【図３】
2014174102.tif 000017
【図４】
2014174102.tif 000018
【図５】
2014174102.tif 000019
【図６】
2014174102.tif 000020
【図７】
2014174102.tif 000021
【図８】
2014174102.tif 000022
【図９】
2014174102.tif 000023
【図１０】
2014174102.tif 000024
【図１１】
2014174102.tif 000025
【図１２】
2014174102.tif 000026
【図１３】
2014174102.tif 000027
【図１４】
2014174102.tif 000028
【図１５】
2014174102.tif 000029
【図１６】
2014174102.tif 000030
【図１７】
2014174102.tif 000031
【図１８】
2014174102.tif 000032
【図１９】
2014174102.tif 000033
【図２０】
2014174102.tif 000034
【図２１】
2014174102.tif 000035
【図２２】
2014174102.tif 000036
【図２３】
2014174102.tif 000037
【図２４】
2014174102.tif 000038
【図２５】
2014174102.tif 000039
【図２６】
2014174102.tif 000040
【図２７】
2014174102.tif 000041
【図２８】
2014174102.tif 000042